(57)【要約】【課題】圧縮耐力が大きく、本設の土構造物に適用可能な土嚢を提供する。【解決手段】袋体２に土砂１２を充填してなる土嚢１であって、袋体２の内部は仕切り壁８によって複数の室１０に区画されており、各室１０が袋体２よりも偏平になるように、各室１０内に土砂１２が充填されている。袋体２は、上下方向に対向配置される上面シート部３及び下面シート部４と、前後方向に対向配置される前面シート部５及び後面シート部６と、側方向に対向配置される一対の側面シート部７、７とからなる中空の台形台形状をなし、中空の内部が仕切り壁８によって上下方向に複数の室１０に区画され、各室１０内にそれぞれ土砂１２が充填される。【選択図】図１
2008057285.tif 000002
【特許請求の範囲】
【請求項１】
袋体に土砂を充填してなる土嚢であって、
前記袋体の内部は仕切り壁によって複数の室に区画されており、各室が前記袋体よりも偏平になるように、各室内に土砂が充填されていることを特徴とする土嚢。
【請求項２】
前記袋体は、上下方向に対向配置される上面シート部及び下面シート部と、前後方向に対向配置される前面シート部及び後面シート部と、側方向に対向配置される一対の側面シート部とからなる中空の台形台形状をなし、中空の内部が前記仕切り壁によって上下方向に複数の室に区画されていることを特徴とする請求項１に記載の土嚢。
【請求項３】
前記袋体の前面シート部は、傾斜面に形成されていることを特徴とする請求項２に記載の土嚢。
【請求項４】
前記袋体の少なくとも前面シート部は、耐候性の高い材料から形成されていることを特徴とする請求項２又は３に記載の土嚢。
【請求項５】
前記袋体の後面シート部は、前記袋体の後面側に着脱手段を介して着脱可能に設けられ、この後面シート部により前記袋体の後面側が開閉可能に構成されていることを特徴とする請求項２から４の何れかに記載の土嚢。
【請求項６】
前記袋体の内部には、前記袋体の各室内に充填される土砂中に含まれる水分を前記各室外に排出させるための排水手段が設けられていることを特徴とする請求項２から５の何れかに記載の土嚢。
【請求項７】
前記排水手段は、前記各仕切り壁の上面及び前記下面シート部の上面にそれぞれ設けられていることを特徴とする請求項６に記載の土嚢。
【請求項８】
前記排水手段は、透水性を有する素材からなる排水シートからなり、又は内部を水分が流通可能な排水管からなり、該排水シート又は排水管を介して前記各室内に充填される土砂中に含まれる水分が前記各室外に排出されることを特徴とする請求項６又は７に記載の土嚢。
【請求項９】
請求項１から８に記載の土嚢の袋体の各室内へ土砂を充填するための土砂の充填方法であって、
前記袋体を加振手段に取り付け、該加振手段の作動により前記袋体を加振させながら、前記袋体の各室内に土砂を充填することを特徴とする土砂の充填方法。
【請求項１０】
請求項１から８に記載の土嚢を上下方向及び水平方向に複数段、複数列に積み重ねて土嚢群を構築し、この土嚢群の後面側に盛土をしてなることを特徴とする土構造物。
【発明の詳細な説明】
【技術分野】
【０００１】
本発明は、土嚢、土砂の充填方法及び土構造物に関し、特に、災害復旧工事等の現場に適用されて、本設の土留め、堰堤等の土構造物を施工するのに有効な土嚢、土砂の充填方法及び土構造物に関する。
【背景技術】
【０００２】
一般に、災害復旧工事等の現場においては、土嚢を積み上げることにより、土留めや堰堤等の土構造物を施工することが行なわれている。このような土留めや堰堤等の土構造物の施工に使用される土嚢は、袋体の内部に土砂を充填して構成したものであって、施工対象箇所に所定の高さに積み上げることにより、土留めや堰堤等の土構造物として機能させることができるものである。
【０００３】
ところで、上記のような構成の土嚢のうち、容量が１ｍ３程度の大型土嚢は、粉粒状貨物の輸送を主目的として設計されているため、本設の土構造物に使用するには圧縮耐力が小さく、仮設の土構造物にしか使用することができない。このため、災害復旧等の目的を達成した後に現場から撤去して処分しなければならず、その作業に手間がかかる。また、圧縮耐力が小さいために、多段に積み上げることができず、土構造物としての高さが低く制限されてしまう。
【０００４】
さらに、透水性の低い材料又は非透水性材料から形成されているため、含水比の高い粘性土等の土砂を使用することができず、使用可能な土砂が含水比の低い良質の土砂に制限されてしまい、施工費が高くつく。
【０００５】
さらに、全体が紫外線による劣化を受けやすいポリプロピレン等の合成繊維から形成されているため、紫外線による劣化を防止するためには土構造物を構築した後に表面を遮光シートで被覆しなければならず、その作業に手間がかかる。
【０００６】
さらに、袋体の内部に土砂を充填した後に、袋体の口部を紐で締め付けて閉じなければならず、その作業に手間がかかる。
【０００７】
一方、特許文献１には、袋体の底面中央部及び側面の下方の部分を透水性を有する素材で形成した大型の土嚢が記載されている。また、この土嚢を上下方向に多段に積み上げ、その多段に積み上げた土嚢の中心部に支柱を打ち込み、多段に積み上げた土嚢を支持するように構成した点も記載されている。
【特許文献１】特開２００４−８４１８３号公報
【発明の開示】
【発明が解決しようとする課題】
【０００８】
特許文献１に記載の土嚢にあっては、袋体の底面中央部及び側面の下方の部分を透水性を有する素材で形成しているため、使用可能な土砂が含水比の低い良質の土砂に制限されるようなことはなく、含水比の高い土砂でも使用することはでき、施工費を削減することができる。
【０００９】
しかし、袋体が縦長に形成されているので圧縮耐力が小さく、そのままでは本設の土構造物に適用することができないため、本設の土構造物に適用するためには多段に積み上げた後に中心部に支柱を打ち込まなければならず、その作業に手間がかかる。さらに、袋体の全体が紫外線による劣化を受けやすいポリプロピレン等の合成繊維から形成されているため、紫外線による劣化を防止するためには土嚢を積み上げて土構造物を構築した後に表面を遮光シート等で被覆しなければならず、その作業に手間がかかる。さらに、袋体の内部に土砂を充填した後に、袋体の口部を紐で締め付けて閉じなければならず、その作業にも手間がかかる。
【００１０】
本発明は、上記のような従来の問題に鑑みなされたものであって、圧縮耐力が高く、本設の土構造物に適用することができ、さらに施工作業性が良好な土嚢、土砂の充填方法及び土構造物を提供することを目的とする。
【課題を解決するための手段】
【００１１】
上記のような課題を解決するために、本発明は、以下のような手段を採用している。
すなわち、請求項１に係る発明は、袋体に土砂を充填してなる土嚢であって、前記袋体の内部は仕切り壁によって複数の室に区画されており、各室が前記袋体よりも偏平になるように、各室内に土砂が充填されていることを特徴とする。
【００１２】
本発明による土嚢によれば、袋体よりも偏平な各室に土砂が充填されることで、土嚢に荷重が作用したときに、各室内に充填される土砂の内部拘束力を高めることができる。これにより、土嚢全体としての圧縮耐力を大きくすることができ、本設の土構造物に適用することが可能となる。
【００１３】
請求項２に係る発明は、請求項１に記載の土嚢であって、前記袋体は、上下方向に対向配置される上面シート部及び下面シート部と、前後方向に対向配置される前面シート部及び後面シート部と、側方向に対向配置される一対の側面シート部とからなる中空の台形台形状をなし、中空の内部が前記仕切り壁によって上下方向に複数の室に区画されていることを特徴とする。
【００１４】
本発明による土嚢によれば、上面シート部、下面シート部、前面シート部、後面シート部、及び一対の側面シート部によって囲まれる部分が仕切り壁によって上下方向に複数の室に区画され、各室内にそれぞれ土砂が充填されることになる。
【００１５】
請求項３に係る発明は、請求項２に記載の土嚢であって、前記袋体の前面シート部は、傾斜面に形成されていることを特徴とする。
【００１６】
本発明による土嚢によれば、土嚢を積み上げて土構造物を構築する際に、上下の土嚢の前面シート部の傾斜面を合わせるように積み上げることにより、所定の勾配の法面に形成することができる。
【００１７】
請求項４に係る発明は、請求項２又は３に記載の土嚢であって、前記袋体の少なくとも前面シート部は、耐候性の高い材料から形成されていることを特徴とする。
【００１８】
本発明による土嚢によれば、大気に晒される前面シート部が耐候性の高い材料から形成されているので、袋体は紫外線によって劣化し難く、土嚢の性能を長期的に維持することができる。また、前面シート部には、さらに耐候性を向上させるために、シート表面を緑化したり、コンクリート２次製品で防護しても良い。
【００１９】
請求項５に係る発明は、請求項２から４の何れかに記載の土嚢であって、前記袋体の後面シート部は、前記袋体の後面側に着脱手段を介して着脱可能に設けられ、この後面シート部により前記袋体の後面側が開閉可能に構成されていることを特徴とする。
【００２０】
本発明による土嚢によれば、後面シート部によって袋体の後面側を開放させることにより各室内に土砂を充填することが可能となり、各室内に土砂を充填した後に、後面シート部によって袋体の後面側を閉塞することにより各室内に土砂を封入することができる。
【００２１】
請求項６に係る発明は、請求項２から５の何れかに記載の土嚢であって、前記袋体の内部には、前記袋体の各室内に充填される土砂中に含まれる水分を前記各室外に排出させるための排水手段が設けられていることを特徴とする。
【００２２】
本発明による土嚢によれば、袋体の各室内に充填される土砂中に含まれる水分は、排水手段を介して各室外に排出されることになるので、含水比の高い粘性土等であっても土砂として使用することが可能となり、施工費を削減することが可能となる。
【００２３】
請求項７に係る発明は、請求項６に記載の土嚢であって、前記排水手段は、前記各仕切り壁の上面及び前記下面シート部の上面にそれぞれ設けられていることを特徴とする。
【００２４】
本発明による土嚢によれば、袋体の各室の底面側に排水手段が設けられているので、各室内に充填される土砂中に含まれる水分を効率良く各室外に排出させることが可能となる。
【００２５】
請求項８に係る発明は、請求項６又は７に記載の土嚢であって、前記排水手段は、透水性を有する素材からなる排水シートからなり、又は内部を水分が流通可能な排水管からなり、該排水シート又は排水管を介して前記各室内に充填される土砂中に含まれる水分が前記各室外に排出されることを特徴とする。
【００２６】
本発明による土嚢によれば、袋体の各室内に充填される土砂中に含まれる水分は、排水シート又は排水管を介して各室外に排出されることになる。
【００２７】
請求項９に係る発明は、請求項１から８に記載の土嚢の袋体の各室内へ土砂を充填するための土砂の充填方法であって、前記袋体を加振手段に取り付け、該加振手段の作動により前記袋体を加振させながら、前記袋体の各室内にそれぞれ土砂を充填することを特徴とする。
【００２８】
本発明による土砂の充填方法によれば、袋体の各室内に土砂を充填する際に、袋体を加振手段によって加振させながら土砂を充填することになるので、各室内に土砂を密に詰め込むことが可能となる。従って、袋体の各室内に土砂を充填した後に締固め機械等によって締め固めることなく、所定の内部拘束力が得られることが可能となる。
【００２９】
請求項１０に係る発明は、請求項１から８に記載の土嚢を上下方向及び水平方向に複数段、複数列に積み重ねて土嚢群を構築し、この土嚢群の後面側に盛土をしてなることを特徴とする。
【００３０】
本発明による土構造物によれば、土嚢を上下方向及び水平方向に複数段、複数列に付き重ねて土嚢群を構築し、この土嚢群の後面側に盛土をすることにより土構造物を構築することが可能となる。
【発明の効果】
【００３１】
以上、説明したように本発明によれば、袋体よりも偏平な各室に土砂が充填されることで、土嚢に荷重が作用したときに、各室に充填される土砂の内部拘束力を高めることができる。これにより、土嚢全体としての圧縮耐力を高めることができる。従って、本設の土留め、堰堤等の土構造物に適用することが可能となる。また、圧縮耐力を高めることができるので、土嚢を高く積み上げることができ、土構造物としての高さが低く制限されることがない。
【００３２】
さらに、袋体の各室内に充填される土砂に含まれる水分を各室外に排出させるための排水手段を設けているので、使用可能な土砂が含水比の低い良質の土砂に制限されることはなく、含水比の高い粘性土等の土砂でも使用することができ、施工費を削減することが可能となる。
【００３３】
さらに、袋体の前面シート部を耐候性の高い材料によって形成しているので、袋体の前面シート部が紫外線によって劣化するようなことはなく、土嚢の性能を長期的に維持することができる。
【００３４】
さらに、袋体の各室内に土砂を充填する際に、加振手段によって加振しながら充填するようにしたので、各室内に土砂を密に詰め込むことができる。従って、各室内に土砂を充填した後に締固め機械等により締め固めることなく、所定の圧縮耐力が得られることになる。
【発明を実施するための最良の形態】
【００３５】
以下、図面を参照しながら本発明の実施の形態について説明する。
図１〜図５には、本発明による土嚢の一実施の形態が示されていて、図１は全体を示す斜視図、図２は図１の後面シート部を開いた状態を示す説明図、図３は土嚢の袋体への土砂の充填方法を示す説明図、図４は土嚢を積み上げて構築した土構造物の一例を示す概略図、図５は図４の部分拡大図である。
【００３６】
すなわち、本実施の形態に示す土嚢１は、図１及び図２に示すように、災害復旧工事等の現場において施工される本設の土留め、堰堤等の土構造物に適用可能な大型の土嚢１であって、合成繊維からなるシート材から形成される中空の台形台形状の袋体２と、袋体２の内部に充填される土砂１２とから構成されている。
【００３７】
袋体２は、１枚又は複数枚の合成繊維からなるシート材を縫製、接着等の接合手段によって繋ぎ合せることにより、横長の中空の台形台形状に形成したものであって、中空の内部が仕切り壁８によって上下方向に複数の室１０に区画されている。
【００３８】
袋体２は、上下方向に間隔をおいて対向配置される長方形状の上面シート部３及び下面シート部４と、前後方向に間隔をおいて対向配置される長方形状の前面シート部５及び後面シート部６と、側方向（前後方向と直交する方向）に間隔をおいて対向配置される前側が傾斜した台形状の一対の側面シート部７、７とを備え、前面シート部５は側面シート部７の傾斜辺を接続している。
なお、袋体２の上面シート部３、下面シート部４、前面シート部５、及び後面シート部６を正方形状に形成してもよい。
【００３９】
袋体２のうちの前面シート部５は、耐候性の高い材料から形成され、その他の後面シート部６、上面シート部３、下面シート部４、及び側面シート部７、７は、汎用性のある安価な材料から形成されている。耐候性の高い材料としては、例えば、ポリエステルにカーボンブラック等の耐候性材料を混入させた合成繊維等が挙げられるが、これらに限らず、同様の特性を有するものであればよい。
前面シート部５を耐候性の高い材料で形成することにより、袋体２に土砂１２を充填して土嚢１を構成し、土嚢１を積み上げることにより土構造物２０（図４及び図５参照）を構築した場合に、紫外線に晒される前面シート部５が紫外線により劣化するのを防止できる。
なお、後面シート部６、上面シート部３、下面シート部４、及び側面シート部７も耐候性の高い材料で形成してもよい。
【００４０】
仕切り壁８は、上面シート部３、下面シート部４、後面シート部６、及び側面シート部７と同様の汎用性のある安価な材料から形成される長方形状をなすものであって、袋体２の中空の内部に上下方向に所定の間隔ごとに互いに平行をなすように設けられ、この仕切り壁８により袋体２の中空の内部が上下方向に３つの室１０に区画されている。
【００４１】
この場合、各仕切り壁８は、前端部が前面シート部５の内面に、側方の両端部が両側面シート部７、７の内面にそれぞれ縫製、接着等の接合手段によって一体に接合され、後端部が後面シート部６に対して非接合状態となっている。
【００４２】
袋体２の後面シート部６は、上端部が上面シート部３の後端部に接合され、又は一体に形成され、下端部及び両側端部はそれぞれ下面シート部４及び両側面シート部７、７に対して非接合状態になっており、この後面シート部６によって袋体２の後面側が開閉可能に構成され、各室１０の後面側が開閉可能に構成されている。
【００４３】
後面シート部６の下端部及びそれに対応する下面シート部４の後端部には面ファスナ等からなる着脱手段１１が設けられ、この着脱手段１１を介して後面シート部６の下端部が袋体２に着脱自在に構成されている。
【００４４】
各仕切り壁８及び下面シート部４の上面側には排水手段９が設けられ、この排水手段９によって各室１０内に充填される土砂１２中に含まれる水分が各室１０外に排出される。排水手段９としては、透水性を有する素材からなる排水シート、内部を水分が流通可能な塩化ビニル製の排水管等が挙げられる。
【００４５】
排水手段９として排水シートを使用する場合には、排水シートを各仕切り壁８及び下面シート部４の上面側にそれぞれ配置し、排水シートの一端部を袋体２の前面シート部５を貫通させて各室１０の外部に引き出すようにすればよい。また、排水手段９として排水管を使用する場合には、排水管を各仕切り壁及８び下面シート部４の上面側に配置し、排水管の一端部を袋体２の前面シート部４を貫通させて各室１０の外部に引き出すようにすればよい。
【００４６】
なお、排水手段９の排水シート及び排水管の他端部を後面シート部６を貫通させて各室１０の外部に引き出すようにしてもよい。このように構成することにより、後述する土構造物２０を構築した場合に、土嚢１の後面側の盛土２１中に含まれる水分を土嚢１を介して土構造物２０の法面側に排出させることができる。
【００４７】
次に、上記のように構成した本実施の形態による土嚢１の袋体２の内部への土砂１２の充填方法について説明する。
図３に示すように、袋体２を加振手段１３に取り付ける。加振手段１３は、例えば、アングル材等の鋼材を枠組みしてなる支持枠１４と、支持枠１４の内側に振動可能に設けられる振動テーブル１５と、振動テーブル１５を加振させるバイブレータ等の駆動源１６とから構成され、振動テーブル１５は傾斜角度が調整可能に構成されている。そして、このような構成の加振手段１３の支持枠１４の内側に、各室１０の開口部が上方を向くように袋体２を取り付け、袋体２の前面シート部５を振動テーブル１５に接触させる。
【００４８】
そして、駆動源１６を作動させて振動テーブル１５を加振させ、振動テーブル１５に接触している袋体２を振動テーブル１５と一体に加振させ、この状態でバックホウ等の建設機械（図示せず）によって袋体２の各室１０内にそれぞれ土砂１２を充填する。
【００４９】
そして、袋体２の各室１０内にそれぞれ土砂１２を充填した後に、駆動源１６を停止させて、袋体２の各室１０の開口部を後面シート部６によって閉塞し、バックホウ等の建設機械により袋体２を支持枠１４から取り外す。
【００５０】
このようにして、加振手段１３によって袋体２を加振させながら、袋体２の各室１０内に土砂１２を充填することにより、各室１０内に土砂１２を密に詰め込むことができ、土砂１２の充填後にバックホウ等の建設機械によって袋体２を締め固めることなく、各室１０内の土砂１２の内部拘束力を高めることができ、圧縮耐力の高い土嚢１を製造することができる。
【００５１】
そして、上記のように構成した土嚢１を災害復旧工事等の現場の施工対象箇所に搬入し、図４に示すように、複数の土嚢１を前面シート部５が面一となるように積み上げ、その後に複数の土嚢１の後面側に盛土２１を行なうことにより、所定の高さ、幅の土留め、堰堤等の土構造物２０を施工することができる。
【００５２】
上記のように構成した本実施の形態による土嚢１にあっては、袋体２を中空の台形台形状に形成して、中空の内部を仕切り壁８によって上下方向に複数の室１０に区画し、各室１０内にそれぞれ土砂１２を袋体２よりも偏平になるように充填するように構成したので、各室１０内に充填される土砂１２の内部拘束力を高めることができ、土嚢１全体としての圧縮耐力を高めることができる。
【００５３】
従って、本設の土留め、堰堤等の土構造物２０に適用することが可能となるので、災害復旧等の目的を達成した後に撤去して処分する施工費と手間を削減することができる。また、圧縮耐力を高めることができるので、高く積み上げることができ、土構造物２０の高さが低く制限されることなく、所望の高さ、幅の土構造物２０を構築することができる。
【００５４】
さらに、袋体２の各仕切り壁８及び下面シート部４の上面側に排水手段９を設けているので、使用可能な土砂１２が含水比の低い良質の土砂に制限されることはなく、含水比の高い粘性土等でも各室１０内に充填することができ、施工費を削減することが可能となる。
【００５５】
さらに、図４に示すように、土嚢１を積み上げたときに表面に露呈する前面シート部５を耐候性の高い材料によって形成しているので、袋体２の前面シート部５が紫外線に晒されても劣化するようなことはなく、土嚢１の性能を長期的に維持することができる。
【００５６】
さらに、土嚢１の袋体２の前面シート部５を所定の角度の傾斜面に形成しているので、土構造物２０を構築する際に、前面シート部５が面一となるように土嚢１を積み上げるだけで土構造物２０の法面を形成することができ、土構造物２０の施工を容易にすることができ、施工費を大幅に削減することができる。
【００５７】
さらに、土嚢１の袋体２の後面側に後面シート部６を面ファスナ等の着脱手段１１を介して着脱自在に設けたので、各室１０内に土砂１２を充填した後に袋体２の開口部を紐で締め付けて閉じるような煩雑な作業が不要となり、土砂１２の充填に要する手間を大幅に削減することができる。
【図面の簡単な説明】
【００５８】
【図１】本発明による土嚢の一実施の形態の全体を示した概略斜視図である。
【図２】図１の土嚢の後面シート部を開いた状態を示した説明図である。
【図３】本発明による土嚢の袋体への土砂の充填方法を示した説明図である。
【図４】本発明による土嚢を用いて構築した土構造物の一例を示した説明図である。
【図５】図４の部分拡大図である。
【符号の説明】
【００５９】
１  土嚢
２  袋体
３  上面シート部
４  下面シート部
５  前面シート部
６  後面シート部
７  側面シート部
８  仕切り壁
９  排水手段
１０  室
１１  着脱手段
１２  土砂
１３  加振手段
１４  支持枠
１５  振動テーブル
１６  駆動源
２０  土構造物
２１  盛土
【図１】
2008057285.tif 000003
【図２】
2008057285.tif 000004
【図３】
2008057285.tif 000005
【図４】
2008057285.tif 000006
【図５】
2008057285.tif 000007